(57)【特許請求の範囲】
【請求項１】
中空状プランターであって、少なくともプランターユニットと連接ユニットを備え、
前記プランターユニットは、凹陥状の収容区域を有する内表層と、前記内表層を支持するために用いる外表層と、前記内表層と前記外表層の間に配置された中空状の空間区域を備え、
前記連接ユニットは、前記プランターユニットの空間区域に連通する中空状のユニットであり、
中空ブロー成型金型を閉じて加圧気体を注入し、ブロー成型を行う前に、前記連接ユニットが先に前記金型の内側表面に取り付けられ、且つ前記金型を閉じた後、ブローピンを前記金型内に配置されたプラスチックパリソン内に挿入して加圧気体の注入を行い、半固溶状態の膨張した前記プラスチックパリソンを前記中空ブロー成型金型の内側表面に緊密に貼り付かせると共に、中空状の前記連接ユニットの連接孔を封鎖させ、かつ持続的に注入される気体の圧力差を利用する方式で、前記連接孔外側に位置する膨張した前記プラスチックパリソンを前記連接孔内に強制的に押し入れ、さらに膨張した前記プラスチックパリソンを注入される加圧気体の作用によって引き伸ばし、破裂させて被覆する方式で中空状の前記連接ユニットの前記連接孔の内壁縁上に貼り付かせ、それにより固化後の膨張した前記プラスチックパリソン（即ち、前記プランターユニット）と前記連接ユニットの間に緊密で気体漏れのない結合状態を確実に保つと共に、かつ前記連接ユニットの連通区域と前記プランターユニットの前記空間区域間が連通状を成すことを特徴とする、中空状プランター。
【請求項２】
前記プランターユニットの凹陥状の前記収容区域に少なくとも１つ以上の浸水孔が形成され、かつ前記浸水孔と前記空間区域が連通されたことを特徴とする、請求項１に記載の中空状プランター。
【請求項３】
前記プランターユニット上に配置された前記連接ユニットが、中空状の導管であり、少なくとも第１連接孔、第２連接孔、前記第１連接孔と前記第２連接孔間を連通する連通区域に分けることができ、少なくとも１つの前記連接孔と前記プランターユニットの空間区域とが連通されたことを特徴とする、請求項２に記載の中空状プランター。
【請求項４】
前記連接ユニットが、単一の中空筒状の透明部材であり、少なくとも第１連接孔、第２連接孔、前記第１連接孔と前記第２連接孔の間を連通する連通区域に分けられ、前記２つの連接孔が前記プランターユニットの空間区域に連通され、前記プランターユニットの空間区域内から前記連通区域内に流入する液体の液面が前記透明部材を通して表示され、透明ウィンドウ装置が形成されることを特徴とする、請求項２に記載の中空状プランター。
【請求項５】
前記連通区域の適切な箇所に仕切り部が設けられ、それにより前記連通区域が少なくとも上連通区域と下連通区域に分けられ、前記仕切り部の材質が、水溶性材質、または水解性材質、或いは水に触れるとばらけて分離する物質とすることができ、且つ前記空間区域内の液体が前記連通区域内に流入した後、前記仕切り部が浸されて溶解または分解或いは散開され始め、液面が前記透明部材を通して表示されることを特徴とする、請求項４に記載の中空状プランター。
【請求項６】
前記連通区域内に浮きを設置し、前記浮きが前記上連通区域または前記下連通区域内に配置され、前記浮きと液面が共に前記透明部材内に表示されることを特徴とする、請求項５に記載の中空状プランター。
【請求項７】
中空状プランターであって、少なくとも中空状の密閉された空間区域を有するプランターユニットと、前記空間区域を前記プランターユニットの外側に連通する気流経路を備え、
前記プランターユニットが、凹陥状の収容区域を有する内表層と、前記内表層を支持するために用いる外表層と、前記内表層と前記外表層の間に配置された中空状の前記空間区域と、凹陥状の前記収容区域と中空状の前記空間区域の間を連通する浸水孔とを備え、前記空間区域と前記プランターユニット周囲外側を連通する注水ユニットと、前記注水ユニット箇所を緊密に封鎖する着脱可能なキャップユニットとを設け、前記内表層と前記外表層の接触面の位置する箇所が気密状に密閉され、
前記気流経路が、中空状の導管の二端を前記空間区域と前記プランターユニット周囲外側にそれぞれ連通して形成された空気の経路であり、且つ前記導管が少なくとも第１連接孔、第２連接孔、前記第１連接孔から前記第２連接孔までの間を連通する連通区域に分けられ、前記第２連接孔が前記プランターユニットの前記空間区域に連通され、前記第１連接孔が土壌によって覆われないよう前記収容区域の外方に配置されていることを特徴とする、中空状プランター。
【請求項８】
前記プランターユニットの密閉された空間区域が、前記キャップユニットで封鎖された前記注水ユニットから吸気孔までの間に形成される空間区域、または前記キャップユニットで封鎖された前記注水ユニットから前記浸水孔までの間に形成される空間区域、或いは前記導管と前記プランターユニット壁面間の接続箇所から前記キャップユニットで封鎖された前記注水ユニットまでの間に形成される空間区域であることを特徴とする、請求項７に記載の中空状プランター。
【請求項９】
前記プランターユニットの前記内表層と前記外表層の間が２つの独立した部材として相互に組み立てられ、前記内表層と前記外表層の接触面間に漏れ防止部材を設置して、前記内表層と前記外表層の接触面間に密閉された気体漏れがない状態が保持されたことを特徴とする、請求項８に記載の中空状プランター。
【請求項１０】
前記プランターユニットの前記内表層及び前記外表層が一体中空ブロー成型方式によって形成され、前記内表層と前記外表層の接触面間に密閉された気体漏れがない状態が保持されたことを特徴とする、請求項８に記載の中空状プランター。
【請求項１１】
中空状プランターであって、少なくとも中空状の空間区域を有するプランターユニットと、前記プランターユニットの外表層に設置される透明ウィンドウ装置を備え、
前記プランターユニットが少なくとも、凹陥状の収容区域を備えた内表層と、前記内表層を支持する外表層と、前記内表層と前記外表層の間に位置する中空状の前記空間区域と、凹陥状の前記収容区域と中空状の前記空間区域の間を連通する浸水孔とを備え、前記空間区域とプランターユニット周囲外側を連通する注水ユニットと、前記注水ユニット箇所を緊密に封鎖する着脱可能なキャップユニットを設け、前記キャップユニットが前記注水ユニット箇所を封鎖した時、前記プランターユニットの前記空間区域に中空状の密閉区域が形成され、
前記透明ウィンドウ装置が前記プランターユニットの前記外表層の適切な箇所に設置され、且つ前記透明ウィンドウ装置の内側が前記空間区域と２箇所以上連通され、前記空間区域から前記透明ウィンドウ装置までの間に密閉された連通区域が形成され、前記空間区域内に流入した液体の液面が前記透明ウィンドウ装置を通して表示されることを特徴とする、中空状プランター。
【請求項１２】
前記プランターユニットの前記外表層の適切な箇所に凹部が形成され、且つ前記凹部の少なくとも上下二端が前記空間区域と連通され、前記凹部上に設置された前記透明ウィンドウ装置も前記空間区域と連通され、前記凹部内に流入した液体の液面高さが前記透明ウィンドウ装置を通して表示されることを特徴とする、請求項１１に記載の中空状プランター。
【請求項１３】
前記透明ウィンドウ装置が少なくとも中空状の透明部材と浮きを含んで構成され、前記浮きが、前記透明部材の内側、または前記プランターユニットの前記空間区域と前記透明部材の間に形成された密閉された連通区域内に配置されたことを特徴とする、請求項１２に記載の中空状プランター。
【請求項１４】
前記透明ウィンドウ装置が少なくとも透明部材、漏れ防止体、前記透明部材を前記プランターユニットの前記外表層に固定する第３部材を含み、前記透明部材と前記外表層または前記凹部の接触面間に前記漏れ防止体が設置され、前記空間区域、前記凹部及び前記透明部材間に密閉された連通区域が形成されることを特徴とする、請求項１２に記載の中空状プランター。
【請求項１５】
前記透明ウィンドウ装置が少なくとも透明部材、漏れ防止体、浮き、前記透明部材を前記プランターユニットの前記外表層に固定する第３部材を含み、前記透明部材と前記外表層または前記凹部の接触面間に前記漏れ防止体が設置され、前記空間区域、前記凹部と前記透明部材間に密閉された連通区域が形成され、且つ前記浮きが前記透明部材内側または密閉された連通区域内に配置されたことを特徴とする、請求項１２に記載の中空状プランター。
【請求項１６】
前記プランターユニットの前記内表層と前記外表層の間が２つの独立した部材として相互に組み立てられ、前記内表層と前記外表層の接触面間に漏れ防止部材が設置され、前記内表層と前記外表層の接触面間に密閉された気体漏れがない状態が保持されることを特徴とする、請求項１３〜１５のいずれかに記載の中空状プランター。
【請求項１７】
前記プランターユニットの前記内表層と前記外表層が一体中空ブロー成型によって形成され、前記内表層と前記外表層の接触面間に密閉された気体漏れがない状態が保持されることを特徴とする、請求項１３〜１５のいずれかに記載の中空状プランター。
【発明の詳細な説明】
【技術分野】
【０００１】
本発明は、鉢植えの技術領域に属し、特に、貯水及び安定的かつ持続的な微量化した受動式自動給水機能を備え、プランターユニット内の土壌を一定の湿度下に保持し、毎日水遣りをする必要なく、植物を生きた状態に維持して継続的に成長させることができ、消費者が遠出をしたり、何日も旅行に出たりするときの心配と不安を減少し、栽培を便利にすることができる中空状プランターに関する。
【背景技術】
【０００２】
従来の花や樹木のプランターは、その材質を陶器とプラスチック製品に分けることができ、且つ、すべて単一層で形成されている。また、プランターの中間には凹陥状の容器空間が形成され、且つ容器空間の底面に穿通孔が設けられ、土壌を容器空間内に入れて、水遣りが多すぎたときは土壌内に浸み入った水を直接穿通孔から下に流出させ、湿潤した土壌で花や樹木の苗を直接栽培することができる。
【０００３】
しかしながら、上記従来のものは、使用時に次のような問題が発生する。
一．花または樹木の苗は栽培の過程で朝晩適量の水をやる必要があるが、一般の人々は植物栽培について知識が限られており、加えて主観的に「水は多めのほうが不足するよりは」植物にとって有利であるだろうと考え、経常的に水を多めにやり、水が土壌内に浸み込み始めて分布され、土壌を流れた後に形成される土を含んだ汚れた水が直接プランターの穿通孔から排出されるまで水遣りを続けてしまい、往々にしてプランターを配置した場所付近の環境を汚してしまうことが大きな問題となる。
二．第１点を受けて、現代人の住宅は高層のマンションが多く、このため水遣りをしたときの汚れた水が直接階下に滴り落ちると、自分の住居のベランダと建物の環境が不潔になるだけでなく、同時に滴り落ちる水の騒音が階下の隣人の迷惑となり、訴訟に発展することさえあるため、これも大きな問題となる。
三．従来のプランターは単層式であり、さらに太陽光の長時間の照射を受けると、往々にしてプランターが吸収した熱が直接土壌内に伝導され、プランター内部の土壌が高温高湿になって、高温高湿の土壌環境内にある植物の根部が傷んでしまい、成長できなくなることも大きな問題である。
四．現代人は海外旅行の機会が多く、出国期間中は自分で花や樹木の世話ができないため、帰国すると花や樹木が枯れて死んでしまっていることがあり、これも大きな問題である。
【発明の概要】
【発明が解決しようとする課題】
【０００４】
本発明が解決しようとする課題は、上記従来技術の欠点を効果的に克服するために、一定期間給水する必要なく適度な水分の供給を持続させることができる、中空状プランターを提供することにある。
【課題を解決するための手段】
【０００５】
本発明の中空状プランターは、少なくともプランターユニットと連接ユニットを備え、前記プランターユニットは、凹陥状の収容区域を有する内表層と、前記内表層を支持するために用いる外表層と、前記内表層と前記外表層の間に配置された中空状の空間区域を備え、前記連接ユニットは、前記プランターユニットの空間区域に連通する中空状のユニットであり、中空ブロー成型金型を閉じて加圧気体を注入し、ブロー成型を行う前に、前記連接ユニットが先に前記金型の内側表面に取り付けられ、且つ金型を閉じた後、ブローピンを金型内に位置する溶融プラスチックパリソン内に挿入して加圧気体の注入を行い、半固溶状態の膨張したプラスチックパリソンを金型の内側表面に貼り付かせると共に、連接ユニットの連接孔を封鎖し、注入される気体の圧力で、連接孔外側に位置する膨張した前記プラスチックパリソンを前記連接孔内に強制的に押し入れ、膨張したプラスチックパリソンを引き伸ばし、破裂させて中空状の連接ユニットの前記連接孔の内壁に貼り付かせ、それにより固化後の膨張したプラスチックパリソン（即ちプランターユニット）と連接ユニットの間に緊密で気体漏れのない結合状態を確実に保つことができ、かつ連接ユニットの連通区域とプランターユニットの空間区域間が連通状を成し、連接ユニットを一体ブロー破裂被覆方式で緊密にプランターユニット上に組み込むことができる。
【発明の効果】
【０００６】
本発明によれば、二種類の異なる材質を一体ブロー成型方式で一体として被覆結合させる応用が可能であり、且つ二次穴あけ及び組み立ての加工作業を回避でき、人力による組み立ての瑕疵によって生じる水漏れの問題を改善し、加工コストと組み立てコストを確実に抑えると同時に、透明ウィンドウ装置を外表層上に設置することで、透明部材内に流入した液体の液面を直接消費者が目視で確認し、液体の種類と液面高さの識別性を高め、水を追加するか否かの根拠とすることができるため、水がなくなって植物が枯れてしまうという問題の発生を確実に防止することができる。
【０００７】
また、本発明は土壌の吸水性と空間区域内の密閉区域及び気流経路の設置の組み合わせ作用を利用して、中空状の空間区域内にある液体を浸水孔の毛細管作用により、凹陥状収容区域内にある土壌の場所に液体を上に向かって初歩的に導引することができ、空間区域の密閉区域内の気体圧力が大気圧より小さい状況下で、若干の大気圧の気体を気流経路から空間区域の密閉区域へ注入させた（即ち気体の補填）後、浸水孔を経て流れてきた液体をサイホン効果で自動的に上方に向かって土壌に流入させて分布させ、受動式の自動給水機能を形成することができる。これにより、毛細管とサイホンの原理で構成された受動式微量化自動給水機能を備え、凹陥状の収容区域内の土壌の含水量を一定の湿度（即ち若干の湿り気）に保ち、従来のプランター底部が水分を含みすぎて植物の根部を腐らせてしまう現象をなくして克服するだけでなく、同時に貯蔵水が空間区域から凹陥状の収容区域または土壌内に浸入する流量速度を調節し、収容区域内にある土壌に一定の湿度を保たせ、空間区域内の貯水量を確保し、一定期間別途給水する必要なく供給を持続させることができ、遠出や旅行などのときも毎日水遣りをする必要なく植物に正常な生存と成長を保たせ、消費者の利便性とケアを向上することができるため、消費者の使用意欲と購買欲を大幅に強化し、市場競争力とシェアを高めることができ、進歩性を備えている。
【図面の簡単な説明】
【０００８】
【図１】本発明の中空状プランターを金型内で製造する時の断面図である。
【図１Ａ】図１の部分拡大断面図である。
【図１Ｂ】図１の別の部分拡大断面図である。
【図１Ｃ】図１のさらに別の部分拡大断面図である。
【図２】本発明の中空状プランターの製造工程において、気体注入作動後の断面図である。
【図２Ａ】図２の部分拡大断面図である。
【図２Ｂ】図２の別の部分拡大断面図である。
【図２Ｃ】図２のさらに別の部分拡大断面図である。
【図３】本発明の実施例１を示す中空状プランターの斜視図である。
【図４】本発明の実施例１を示す中空状プランターの水注入時における断面図である。
【図５】本発明の実施例１を示す中空状プランターの植物栽培時の満水状態における断面図である。
【図６】本発明の実施例１を示す中空状プランターの水位下降時における断面図である。
【図７】本発明の実施例１を示す中空状プランターの低水位時における断面図である。
【図８】本発明の実施例２を示す中空状プランターの斜視図である。
【図９】本発明の実施例３を示す中空状プランターの断面図である。
【図１０】本発明の実施例４を示す中空状プランターの断面図である。
【図１１】本発明の実施例５を示す中空状プランターの断面図である。
【発明を実施するための形態】
【０００９】
以下、本発明の実施例を図面に基づいて詳細に説明する。
本発明の中空状プランターは、図１から図１１に示すように、少なくともプランターユニット１と連接ユニットＢから構成される。
プランターユニット１は、凹陥状の収容区域１３を有する内表層１０、内表層１０を支持するために用いる外表層１１、内表層１０と外表層１１の間に挟まれて配置された中空状の空間区域１２、凹陥状の収容区域１３と中空状の空間区域１２の間を連通する浸水孔１３３を有する。
連接ユニットＢは、プランターユニット１の空間区域１２に連通する中空状のユニットであって、本実施例では、空間区域１２をプランターユニット１の周囲外側に連通する中空状の注水ユニット３、空間区域１２をプランターユニット１の周囲外側に連通する気流経路Ａ、中空状の透明ウィンドウ装置４の少なくとも一つより成る。注水ユニット３は着脱可能なキャップユニット６で緊密に封鎖できるようになっている。
【００１０】
プランターユニット１の内表層１０の収容区域１３には、適切な箇所に内凹部１３１が形成され、且つ内凹部１３１に少なくとも１つ以上の浸水孔１３３が設けられ、浸水孔１３３が空間区域１２と連通している。浸水孔１３３の設置は、プランターユニット１の一体ブロー成型時に同時に完成させるか、或いはプランターユニット１を一体ブロー成型で完成させた後に別途穴あけ加工で完成することができる。
【００１１】
また、空間区域１２周囲の内表層１０と外表層１１の接続箇所または接触面間は密閉されて気体の漏出がないものとし、キャップユニット６で注水ユニット３箇所を封鎖すると、プランターユニット１の空間区域１２の内部に中空状の密閉区域が形成される。さらに、内表層１０と外表層１１の間は一体中空ブロー成型（図１から図８参照）方式で形成するか、或いは２つの独立した部材の接触面間に漏れ防止部材１７を必ず挟んで設置した組み立て方式（図１１参照）とすることができ、内表層１０と外表層１１の接触面間を密閉して気体漏れを生じないようにし、空間区域１２を中空の密閉状に保つ。空間区域１２内における密閉区域は、空間区域１２の吸気孔１４（空間区域１２が後述する導管２の第２連接孔２１に連通される箇所を指す）からキャップユニット６で封鎖した注水ユニット３の間に形成される空間区域１２、或いは浸水孔１３３からキャップユニット６で封鎖した注水ユニット３の間に形成される空間区域１２、または導管２とプランターユニット１壁面間の接続箇所からキャップユニット６で封鎖した注水ユニット３の間に形成される空間区域１２を指す。
【００１２】
気流経路Ａは、中空状の導管２（連接ユニットＢの１つ）の二端を空間区域１２及びプランターユニット１周囲外側にそれぞれ接続して連通する空気の経路を指す。導管２は少なくとも（第１）連接孔２０、（第２）連接孔２１、及び（第１）連接孔２０から（第２）連接孔２１までの間を連通する連通区域２２に分けることができ、（第２）連接孔２１が一体成型または挿入組み立てでプランターユニット１の空間区域１２に連通される。また、気流経路Ａに設置された（第１）連接孔２０は、土壌８５に覆われることがないよう収容区域１３の外方に配置され、空間区域１２とプランターユニット１外側の空気の円滑な流れが阻害のない状態に保たれる。さらに、導管２とプランターユニット１の間の結合方式は、一体射出成型方式、または一体射出オーバーモールド（図８、９、１０参照）方式、或いは２つの独立した部材（図１１参照）を被着式、嵌合式、挿入式、螺合式等の方式で相互に組み立てる方式を最良とする。
【００１３】
連接ユニットＢである、中空状の導管２、中空状の注水ユニット３、及び、中空状の透明ウィンドウ装置４は、それぞれ（第１）連接孔２０、３０、４００、（第２）連接孔２１、３１、４０１、及び（第１）連接孔２０、３０、４００と（第２）連接孔２１、３１、４０１の間を連通する位置にある連通区域２２、３２、４０２に分けることができ、連接ユニットＢの少なくとも１つの連接孔２１、３１、４０１は挿入組み立て、または一体射出成型、或いは一体射出オーバーモールド、或いはブロー破裂被覆成型等の方式でプランターユニット１の空間区域１２内に連通させることができる。
【００１４】
製造時は、中空ブロー成型金型９を閉じて加圧気体を注入し、ブロー成型を行う前に、あらかじめ定めた形状の中空の連接ユニットＢ（例：中空状の導管２、中空状の注水ユニット３及び中空状の透明部材４０）を先に中空ブロー成型金型９の内側表面に取り付けておく必要がある。上述の金型９を閉じた後（図１Ａ、図１Ｂ、図１Ｃ参照）、ブローピン９５を金型９内に配置された溶融プラスチックパリソンＰ内に挿入して加圧気体の注入を行い（図２Ｂ参照）、半固溶状態の膨張したプラスチックパリソンＰを上述の金型９内側表面に緊密に貼り付かせると共に、連接ユニットＢの連接孔２１、３１、４０１を封鎖させることができ、かつ持続的に注入される気体の圧力差を利用する方式で、（第２）連接孔２１、３１、４０１外側に位置する膨張したプラスチックパリソンＰを（第２）連接孔２１、３１、４０１内に強制的に押し入れることができ、膨張したプラスチックパリソンＰを引き伸ばし、破裂させて被覆する方式で中空状連接ユニットＢの（第２）連接孔２１、３１、４０１の内壁縁上に貼り付かせ（図２Ａ、図２Ｃ参照）、それにより固化後の膨張したプラスチックパリソンＰ（即ちプランターユニット１）と連接ユニットＢの間に緊密で気体漏れのない結合状態を確実に保つことができ、かつ連接ユニットＢの連通区域２２、３２、４０２とプランターユニット１の空間区域１２間が連通状を成し、中空状連接ユニットＢ（中空状の導管２、中空状の注水ユニット３及び中空状の透明部材４０を含む）を一体ブロー破裂被覆成型方式で凹陥状の収容区域１３及び中空状の空間区域１２を備えたプランターユニット１にそれぞれ緊密に組み込むことができる。
【００１５】
植物８０を栽培したいときは、土壌８５を凹陥状の収容区域１３内に入れるが、土壌８５が気流経路Ａの（第１）連接孔２０上を覆って塞ぐことがなく、空間区域１２とプランターユニット１外側の空気の円滑な流れが阻害のない状態に保たれる。このとき、液体８３を注水ユニット３内に入れ始めると、連通区域３２の導引作用を経た後さらに空間区域１２内に流入して貯蔵され、空間区域１２内の液面高さが浸水孔１３３を超過する、または浸水孔１３３に触れるまで貯蔵すると、液体８３の表面張力と浸水孔１３３の毛細管作用によって、液体８３が微量ずつ上に向かって流れ、土壌８５に分布して一定の湿り気を与えることができ、最後に、空間区域１２内が満たされるまで継続して液体８３を注入し、キャップユニット６をしっかりと注水ユニット３上に取り付ければ、キャップユニット６で封鎖された注水ユニット３から浸水孔１３３の間に密閉された空間区域１２が形成される。
【００１６】
植物８０が土壌８５内の水分を吸い取っているとき、吸い取る分量の関係で空間区域１２の内部圧力が大気圧より小さい状況下で、プランターユニット１外側の空気が気流経路Ａ（即ち中空状の導管２）から空間区域１２内部に流入して充填され、空間区域１２内部の液面が下に向かって圧迫されて、空間区域１２内にある液体８３が浸水孔１３３から毛細管作用で上に向かって流れ始め、サイホン方式を形成して土壌８５に一定割合の湿度が保持されるまで供給が持続する。このように、毛細管とサイホンの原理で構成される受動式微量化自動給水で、凹陥状の収容区域１３内の土壌８５の含水量を一定の湿度（即ちやや湿った状態）に保ち、従来のプランター底部が水分を含みすぎて植物の根部を腐らせてしまう現象をなくして克服するだけでなく、同時に貯蔵水が空間区域１２から凹陥状の収容区域１３または土壌８５内に浸入する流量速度を調節し、収容区域１３内にある土壌８５に一定の湿度を保たせ、空間区域１２内の貯水量を確保し、一定期間別途給水する必要なく供給を持続させることができ、遠出や旅行などのときも毎日水遣りをする必要なく植物８０に正常な生存と成長を保たせ、消費者の利便性とケアを向上することができるため、消費者の使用意欲と購買欲を大幅に強化し、市場競争力とシェアを高めることができる。
【００１７】
プランターユニット１の外表層１１の適切な箇所に透明ウィンドウ装置４を取り付けてもよい。透明ウィンドウ装置４は一体射出オーバーモールド方式、または一体ブロー破裂被覆成型方式等でプランターユニット１の外表層１１の適切な箇所を被覆して結合される。また、透明ウィンドウ装置４は少なくとも中空状の透明部材４０のみを含むか、或いは中空状の透明部材４０と浮き４８を含んで構成される。透明ウィンドウ装置４の内側の少なくとも２箇所がプランターユニット１の空間区域１２に連通され、空間区域１２から透明ウィンドウ装置４までの間に密閉された連通区域が形成され、浮き４８を透明部材４０の内側または密閉された連通区域内に配置して、液体８３の液面と浮き４８を共に透明部材４０の外側から見えるようにすることができる。
【００１８】
中空状の透明部材４０は、少なくとも一端に形成された（第１）連接孔４００、他端に形成された（第２）連接孔４０１、（第１）連接孔４００と（第２）連接孔４０１を連通する間に位置する連通区域４０２に分けることができ、連通区域４０２の適切な箇所に仕切り部４１が設置され、連通区域４０２が少なくとも上連通区域４０３と下連通区域４０４に分けられて、浮き４８が上連通区域４０３または下連通区域４０４内に配置されることを最良とする。また、仕切り部４１の材質は水溶性材質、または水解性材質、或いは水に触れるとばらけて分離する物質を最良とし、プランターユニット１の空間区域１２内から連通区域４０２内に流入した液体８３に連通区域４０２内にある仕切り部４１が浸されて溶解または分解或いは散開され、浮き４８と液面が共に透明部材４０を通して見えて、消費者が水位を識別するために用いることができる。
【００１９】
プランターユニット１の外表層１１に凹部１６を形成し、凹部１６の適切な箇所に透明ウィンドウ装置４を取り付けてもよい。透明ウィンドウ装置４は少なくとも１つの透明部材４０、漏れ防止体４４、ネジ等の第３部材４９を含んで構成されるか、或いは透明部材４０、漏れ防止体４４、浮き４８、第３部材４９を含んで構成される。第３部材４９を利用して透明部材４０がプランターユニット１の外表層１１の凹部１６上に取り付けられ、さらに透明部材４０と外表層１１または凹部１６の接触面の間に漏れ防止体４４が設置され、空間区域１２と透明部材４０間、または空間区域１２と凹部１６と透明部材４０間に密閉された連通区域が形成され（連通区域は少なくとも２箇所が空間区域１２に連通される）、浮き４８を透明部材４０の内側（密閉された連通区域内）に配置して、凹部１６内に流入した液体８３の液面高さと浮き４８が透明ウィンドウ装置４の作用によって見えるようにすることができる。
【００２０】
以上の説明は、単に本発明の最良の実施例に基づいたものであり、本発明の実施の範囲を限定するものではなく、本発明の特許請求の範囲に述べる特徴及び要旨から逸脱しない同等の変化や修飾はすべて本発明の特許請求の範囲内に含まれる。
【符号の説明】
【００２１】
１        プランターユニット
１０      内表層
１１      外表層
１２      空間区域
１３      収容区域
１３１    内凹部
１３３    浸水孔
１４      吸気孔
１６      凹部
１７      漏れ防止部材
２        導管
２０      連接孔
２１      連接孔
２２      連通区域
３        注水ユニット
３０      連接孔
３１      連接孔
３２      連通区域
４        透明ウィンドウ装置
４０      透明部材
４００    連接孔
４０１    連接孔
４０２    連通区域
４０３    上連通区域
４０４    下連通区域
４１      仕切り部
４４      漏れ防止体
４８      浮き
４９      第３部材
６        キャップユニット
８０      植物
８３      液体
８５      土壌
９        金型
９５      ブローピン
Ａ        気流経路
Ｂ        連接ユニット
Ｐ        プラスチックパリソン
【図１】
0005228088.tif 000002
【図１Ａ】
0005228088.tif 000003
【図１Ｂ】
0005228088.tif 000004
【図１Ｃ】
0005228088.tif 000005
【図２】
0005228088.tif 000006
【図２Ａ】
0005228088.tif 000007
【図２Ｂ】
0005228088.tif 000008
【図２Ｃ】
0005228088.tif 000009
【図３】
0005228088.tif 000010
【図４】
0005228088.tif 000011
【図５】
0005228088.tif 000012
【図６】
0005228088.tif 000013
【図７】
0005228088.tif 000014
【図８】
0005228088.tif 000015
【図９】
0005228088.tif 000016
【図１０】
0005228088.tif 000017
【図１１】
0005228088.tif 000018